(57)【要約】      （修正有）【課題】皿にトーストを置く際にトーストの皿に当たる部分が湿気ずトーストのサックとした焼き立ての食感を保つことのできるトースト置き具を提供する。【解決手段】トースト置き具１は、トースト２の裏面に線接触するトースト支持辺１２ａを備える。三角柱状などの本体の上頂辺がトースト支持辺を為す。【選択図】図２
0003165249.tif 000002
【実用新案登録請求の範囲】
【請求項１】
皿の上にトーストを置く際にトーストを傾斜状、あるいは水平で支持するトースト置き具であって、トーストの裏面に線接触するトースト支持辺を有することを特徴とするトースト置き具。
【請求項２】
三角柱状の本体を備え、前記本体の上頂辺が前記トースト支持辺を為すことを特徴とする請求項１記載のトースト置き具。
【請求項３】
長尺平板３枚を三つ又状に接合した形状の本体を備え，前記本体の上頂辺が前記トースト支持辺をなすことを特徴とする請求項１に記載のトースト置き具。
【請求項４】
薄板平板を環状に形成した本体を備え前記本体の上縁辺が前記トースト支持辺をなすことを特徴とする請求項１に記載のトースト置き具。
【請求項５】
少なくとも３つの棒状体を有し、前記各棒状体を一平面に配し前記各棒状体の一端を一点で結合した本体を備え、前記各棒状体の側面の上端部が前記トースト支持辺をなすことを特徴とする請求項１に記載のトースト置き具。
【考案の詳細な説明】
【技術分野】
【０００１】  トーストを皿に置く際に皿に面するトーストの部分が湿気るのを防ぐことを目的としたトースト置き具に関する。
【背景技術】
【０００２】  焼き立てのトーストを皿に置くと冷める時にトースト内の水蒸気が水に変わり、皿に面するトーストの部分が湿気を帯び、ふにゃとなる問題がある。この解決手段としてこれまで皿自体の内面に凹凸を持たせた皿がある（特許文献１、２参照）。斯かる考案の皿は皿表面にサークル状突起を大中小と３本配したものである。
【特許文献】
【特許文献１】登録実用新案第３０１６７８８号公報
【特許文献２】登録実用新案第３０２１８５４号公報
【０００３】
【考案の概要】
【考案が解決しようとする課題】
【０００４】  背景技術で示した考案に関する皿は皿表面にサークル状突起を大中小と３本配した皿でトーストが皿に当たる部分をサークル全体が支持辺となりトーストを支える為にトースト下面からの湿気の放出が悪く湿気を十分に放出することはできない。その為にトーストのサックとした食感は保たれない。また収納にも広さを要す欠点を持ち、更にこの目的の為にあらたに皿を作る必要がありコストが掛かる。またこの皿は他の用途には使用できない。
従って、本考案は従来の問題を解決するものであって、日常使用している皿の上に置いて使用でき、湿気の吸収を防ぐことにより、トーストの湿気を防止することができるトースト置き具を提供することを目的とするものである。
【課題を解決するための手段】
【０００５】  本考案に斯かるトースト置き具は、皿の上にトーストを置く際にトーストを傾斜状で支持するトースト置き具であって、トーストの裏面に線接触するトースト支持辺を有することを特徴とする。【０００６】  また、本考案において、三角柱状の本体を備え、前記本体の上頂辺が前記トースト支持辺をなす構成とすることができる。長尺平板３枚を三つ又状に接合した形状の本体を備え、前記本体の上頂辺が前記トースト支持辺をなす構成とすることができる。【０００７】  また、本考案において、長方形状の薄板を環状に形成したもので、円辺円周がトースト支持辺をなす構成とすることができる。【０００８】  また、本考案に斯かるトースト置き具は、少なくとも３本のマッチ棒状体四角柱を三つ又に一平面上に配されたもので、トーストは上部支持辺で支持される。また、平面の上全体が支持面となす構成とすることができる。
【考案の効果】
【０００９】  以上のような本考案の構成により皿の上に置かれたトーストが湿気ることなく焼き上がった状態を保持できる。家庭で常用している皿の上で使用できる。また、スプーン、フォーク、箸置きとしても使用可能であり簡単に制作でき収納にも場所を取らず携帯もできる。
【図面の簡単な説明】
【０００１０】
【図１】三角柱トースト置き具の斜視図である。
【図２】図１の使用中斜視図である。
【図３】三つ又トースト置き具の斜視図である。
【図４】図３の使用中斜視図である。
【図５】環状トースト置き具の斜視図である。
【図６】図５の使用中斜視図である。
【図７】マッチ棒状体三つ又トースト置き具  （ａ）平面図  （ｂ）Ａ−Ａから見た斜視図
【図８】図７の使用中斜視図である。
【考案を実施するための形態】
【実施例１】（三角柱トースト置き具）
図１は、実施例１の図１において、トースト置き具１は、３枚の長尺平板１０ａ，１０ｂ，１０ｃを三角柱状に結合した本体１を備えている。長尺平板１０ａ，１０ｂ，１０ｃが互いに結合した辺が、トースト支持辺１２ａ，１２ｂ，１２ｃとなっている。
各々の長尺平板１０ａ，１０ｂ，１０ｃには、中央に長方形状の開口部１１ａ，１１ｂ，１１ｃがそれぞれ形成されている。
図１のトースト置き具１は、図２の様に使用され皿３に置かれたトースト２はトースト置き具のトースト支持辺１２ａと皿３とで支持されてトースト２を傾斜状に保っために湿気を防ぐことができる。トースト置き具１の面の中が長方形に開口部１１ａ，１１ｂ，１１ｃを施してあるため、三方から湿気を逃がすので効果が大である。また他の用途として箸置き等になるトースト置き具である。
【実施例２】（三つ又トースト置き具）
図３は、実施例２のトースト置き具である。３枚の長尺平板１０ａ，１０ｂ、１０ｃを三つ又状に接合した形状のトースト置き具によって皿３に置かれたトースト２は支持辺１２ａと皿３で一辺支持されてトースト２を傾斜状に保つ為に湿気を防ぐことができるトースト置き具である。トースト置き具１の面の中が長方形に開口部１１ａ，１１ｂ，１１ｃを施してあるため、三方から湿気を逃がす効果が大である。
トースト支持辺１２ａ，１２ｂ１２ｃに直接トースト２を置き水平に支持しトースト２と皿３の間が解放されるため湿気を防ぐことができる。
また他の用途として箸置き等になるトースト置き具である。
【実施例３】（環状トースト置き具）
図５は、実施例３のトースト置き具である。図５において、トースト置き具１の本体は、長方形状の薄板を環状に形成したものである。
環状の本体の２つ縁辺がトースト支持辺１２ａ，１２ｂとなっている。
トースト支持辺１２ａ，１２ｂには半円形の切り欠き１２ｅ，１２ｆ，１２ｇ，１２ｈが形成されている。
図５の環状トースト置き具によって、皿３に置かれたトースト２はトースト支持辺１２ａ，１２ｂで一辺支持されてトースト２を水平に浮かせて保つために湿気を防ぐことができる。
また、上下円周に切り欠き１２ｅ，１２ｆ，１２ｇ，１２ｈを付けたために湿気を防ぐ効果が大である。トースト支持辺１２ａ，１２ｂに直接トースト２を置き水平に支持しトースト２と皿３の間が解放されるため湿気を防ぐことができる。
また半円形１２ｅ，１２ｆ，１２ｇ，１２ｈはスプーン、フォーク、箸置き等になるトースト置き具である。
【実施例４】（マッチ棒状体三つ又トースト置き具）
図７は、実施例４のトースト置き具である。
図７（ａ）は平面図、図７（ｂ）は、Ａ−Ａ線から見た斜視図である。
図７においてトースト置き具１は、３つの棒状体１３ａ，１３ｂ，１３ｃを有している。棒状体は１３ａ，１３ｂ，１３ｃは、それぞれ、一平面上に配されている。
各棒状体１３ａ，１３ｂ，１３ｃの一端は一点にて三つ又状に結合されており、一体の本体９をなしている。
図７のマッチ棒状体三つ又トースト置き具によって皿３の上に置かれたトースト２は、図中の符号１４ａ，１４ｂ，１４ｃで示された部分がトースト支持面となり、水平に支持されトースト２と皿３の間が解放されているため湿気を防ぐことができる。
また箸置き等になるトースト置き具である。
【符号の説明】１  トースト置き具の本体
２  トースト
３  皿
９  本体
１０ａ，１０ｂ，１０ｃ  トースト置き具開口部付き長尺平板
１０ｄ  トースト置き具半円形切り欠き環状板
１０ｅ  トースト置き具開口部付き長尺板結合部
１１ａ，１１ｂ，１１ｃ  開口部
１２ａ，１２ｂ，１２ｃ  トースト支持辺
１２ｅ，１２ｆ，１２ｇ，１２ｈ  トースト支持辺半円切り欠き
１３ａ，１３，１３ｃ  マッチ棒状体
１４ａ，１４ｂ，１４ｃ  トースト支持面
【図１】
0003165249.tif 000003
【図２】
0003165249.tif 000004
【図３】
0003165249.tif 000005
【図４】
0003165249.tif 000006
【図５】
0003165249.tif 000007
【図６】
0003165249.tif 000008
【図７】
0003165249.tif 000009
【図８】
0003165249.tif 000010